(57)【要約】      （修正有）【課題】狭いスペースに置くことができ、かつ、容器内のティッシュが減少したとしても、順次、容易にティッシュを取り出すことができるティッシュ容器を提供すること。【解決手段】交互に折り畳まれた状態で重なる複数のティッシュＴＰを、折り畳まれた折り目Ｍが縦方向となり、かつ、縦方向に沿って２つに曲げるようにして収容するケース１２と、ケース１２の上側であって、ティッシュＴＰを引き抜く際に、次に引き抜かれるティッシュＴＰの一部ＵＰが露出するようにした取出し口２０を有する蓋部と、を備え、ケース１２の内側には、曲げる方向Ｊに向って弾性力を発揮するようにして、ティッシュＴＰを挟み込む挟持体１５が設けられていることを特徴とする。【選択図】図２
2012245982.tif 000002
【特許請求の範囲】
【請求項１】
交互に折り畳まれた状態で重なる複数のティッシュを、前記折り畳まれた折り目が縦方向となり、かつ、前記縦方向に沿って２つに曲げるようにして収容するケースと、
前記ケースの上側であって、前記ティッシュを引き抜く際に、次に引き抜かれるティッシュの一部が露出するようにした取出し口を有する蓋部と、
を備え、
前記ケースの内側には、前記曲げる方向に向って弾性力を発揮するようにして、前記ティッシュを挟み込む挟持体が設けられている
ことを特徴とするティッシュ容器。
【請求項２】
前記取出し口は、前記ティッシュが収容された状態の平面視において、前記２つに曲げられた側と反対側に配置され、
前記挟持体は、平面視において、前記取出し口と反対側が、前記取出し口側に比べて前記挟み込む度合いが小さくされている
ことを特徴とする請求項１に記載のティッシュ容器。
【請求項３】
前記挟持体は、前記ケースに対して取り外し可能とされており、かつ、ティッシュが存在しない状態において、前記挟み込む方向と直交する水平方向に押さえつけながら、前記ケースに取り付けられる
ことを特徴とする請求項1又は２に記載のティッシュ容器。
【請求項４】
前記ケースの内底には、着脱可能な底上げ用アダプターが設けられていることを特徴とする請求項1乃至３のいずれかに記載のティッシュ容器。
【発明の詳細な説明】
【技術分野】
【０００１】
本発明は、交互に折り畳まれた状態で重なった複数のティッシュを収容するティッシュ容器に関する。
【背景技術】
【０００２】
従来のティッシュが収容されたティッシュ箱では、収容された複数のティッシュが交互に折り畳まれた状態で重なり、一枚引き抜く毎に、次のティッシュの頭だけが取出し口から露出するようになっており、これにより順次、ティッシュを引き抜けるようになっている。
しかし、このような一般に市販されているティッシュ箱は横置きであるため、スペースをとってしまい、自動車のシートポケットやドリンクホルダー、或いは机上の書籍等に挟まれたスペースの狭い場所に置いて使用することが困難である。
このため、狭い場所でも置けるようにしたティッシュ容器もある（例えば、特開平８−２５６９４２）。このティッシュ容器は縦型であって、その中に、一般に市販されている横置きの箱から取り出したティッシュを縦にして収容し、そして、容器の上からティッシュを引き抜いて使用するようになっている。
【先行技術文献】
【特許文献】
【０００３】
【特許文献１】特開平８−２５６９４２号公報
【発明の概要】
【発明が解決しようとする課題】
【０００４】
ところが、特開平８−２５６９４２のような容器に、取出し口が設けられた蓋をして、その取出し口からティッシュを引き抜いてみると、次に取り出されるティッシュの頭が取出し口から露出せず、順次、ティッシュを取り出せなくなる場合があった。
そして、発明者は、容器内のティッシュの枚数が減少すると、ティッシュの頭が露出しない場合があることを発見した。
【０００５】
本発明は、このような実情に鑑みてなされたものであり、狭いスペースに置くことができ、かつ、容器内のティッシュが減少したとしても、順次、容易にティッシュを取り出すことができるティッシュ容器を提供することを目的とする。
【課題を解決するための手段】
【０００６】
上記課題は、請求項１の発明によれば、交互に折り畳まれた状態で重なる複数のティッシュを、前記折り畳まれた折り目が縦方向となり、かつ、前記縦方向に沿って２つに曲げるようにして収容するケースと、前記ケースの上側であって、前記ティッシュを引き抜く際に、次に引き抜かれるティッシュの一部が露出するようにした取出し口を有する蓋部と、を備え、前記ケースの内側には、前記曲げる方向に向って弾性力を発揮するようにして、前記ティッシュを挟み込む挟持体が設けられているティッシュ容器により解決される。
【０００７】
請求項１の発明の構成によれば、ケースは、交互に折り畳まれた状態で重なる複数のティッシュを、折り畳まれた折り目が縦方向となり、かつ、縦方向に沿って２つに曲げるようにして収容する構成とされている。このため、ケースは収容するティッシュに合わせて縦長にし、載置スペースを小さくすることが出来る。
そして、蓋部はケースの上側に取出し口を有するため、ケースが例えば書籍に囲まれていたり、或いは、自動車のシートポケットに入れられたりしても、上からティッシュを容易に引き抜くことができる。
ここで、取り出し口は、ティッシュを引き抜く際に、次に引き抜かれるティッシュの一部を露出させ、ティッシュを順次引き抜くことができる。しかし、ティッシュを２つに曲げて立てたが故に、ティッシュの枚数が減少すると、積層状態の各ティッシュ間に無用な隙間が生じ、このため、ティッシュを引き抜く際、次に引き抜かれるティッシュとの間で摩擦力が減少して、次に引き抜かれるティッシュの一部を取出し口から露出させることが出来なくなる恐れがある。
ところが、本発明では、ケースの内側には、ティッシュの曲げる方向に向って弾性力を発揮するようにして、ティッシュを挟み込む挟持体が設けられている。なお、ティッシュの曲げる方向とは、２つに曲げられたティッシュの一方の領域と他方の領域とが互いに接近する方向を意味する。このため、２つに曲げたティッシュが広がろうとする力に対抗するように挟持体の弾性力が働いて、各ティッシュ間の無用な空間の発生を防止する。したがって、ティッシュの枚数が減少したとしても、ティッシュを引き抜く際、次に引き抜かれるティッシュとの間で摩擦力が適正に働き、次に引き抜かれるティッシュの一部を取出し口から露出させることが出来る。
【０００８】
また、請求項２の発明は、請求項１の構成において、前記取出し口は、前記ティッシュが収容された状態の平面視において、前記２つに曲げられた側と反対側に配置され、前記挟持体は、平面視において、前記取出し口と反対側が、前記取出し口側に比べて前記挟み込む度合いが小さくされていることを特徴とする。
この点、最後までティッシュを引き抜く際に、次に引き抜かれるティッシュの一部を露出させようとすると、挟持体は枚数の少ないティッシュを挟み込む弾性力を必要とする。ところが、集積状態のティッシュを２つに曲げると、ティッシュの枚数が多い状態では、ティッシュは平面視において取出し口側よりもその反対側（２つに曲げられた側）の方がかなり厚くなっている。このため、ティッシュの枚数が多い状態では、挟持体の当該反対側のティッシュを挟み込む力が大きくなり過ぎて、取り出し口から一部を露出しようとする次のティッシュの動きが却って阻害されてしまう恐れがある。しかし、請求項２の発明によれば、挟み込む度合いは取出し口と反対側の方が小さくなっているため、当該反対側の挟み込み過ぎを防止でき、ティッシュの枚数にかかわらず、取出し口から一部を露出しようとする次のティッシュの動きを阻害することがなくなる。
【０００９】
また、請求項３の発明は、請求項１又は２の構成において、前記挟持体は、前記ケースに対して取り外し可能とされており、かつ、ティッシュが存在しない状態において、前記挟み込む方向と直交する水平方向に押さえつけながら、前記ケースに取り付けられることを特徴とする。したがって、ケースから挟持体を取り外し、ケース内に比べて大きな外部空間で、ティッシュを挟持体に容易に挟み込ませてから、ケースに収容できる。
そして、この挟持体は、ティッシュが存在しない状態においては、挟み込む方向と直交する水平方向に押さえつけながら、ケースに取り付けられる。そうすると、挟持体は弾性力があったとしても、その弾性力が発揮する方向に完全に潰されてしまうことがない。したがって、残り少ない薄いティッシュを挟み込み過ぎて引き抜き難くなる事態を防止し、最後までティッシュを容易に引き抜くことができる。
【００１０】
また、請求項４の発明は、請求項１乃至３のいずれかの構成において、前記ケースの内底には、着脱可能な底上げ用アダプターが設けられていることを特徴とする。
このため、例えばケースの高さよりも長さの短いタイプのティッシュを用いる場合、ティッシュを引き抜き終えた際、次に引き抜かれるティッシュの一部が取出し口から露出したとしても、残りのティッシュが落下する際に、その落下するティッシュに引きずられたり、落下した衝撃が伝達したりして、折角露出した一部が取出し口から落ちる恐れがあるが、底上げ用アダプターにより、当該残りのティッシュの落下距離を小さくするともに落下による衝撃を有効に防止して、次に引き抜かれるティッシュの一部を確実に取出し口から露出させた状態を維持できる。また、この底上げ用アダプターを用いなければ、例えば長いタイプのティッシュも収容できる。
【発明の効果】
【００１１】
以上、本発明によれば、狭いスペースに置くことができ、かつ、容器内のティッシュが減少したとしても、順次、容易にティッシュを取り出すことができるティッシュ容器を提供できる。
【図面の簡単な説明】
【００１２】
【図１】本発明の実施形態に係るティッシュ容器の使用方法を説明するための一例であって、図１（ａ）はティッシュを縦にした図、図１（ｂ）は図１（ａ）の横断面図。
【図２】本発明の実施形態に係るティッシュ容器の使用方法を説明するための一例であって、ティッシュ容器の分解斜視図。
【図３】本発明の実施形態に係るティッシュ容器の斜視図。
【図４】図３のティッシュ容器を水平方向に切断した場合の横断面図。
【図５】図３のティッシュ容器を図４のＡ−Ａ線の位置で縦方向に切断した場合の縦断面図。
【図６】図６（ａ）は挟持体の斜視図、図６（ｂ）はティッシュを挟み込んだ挟持体の斜視図。
【図７】挟持体の展開図。
【図８】残り枚数が僅かなティッシュを挟んだ挟持体をケースに入れ、それを水平方向に切断した場合の横断面図。
【図９】底上げ用アダプターの斜視図。
【図１０】本発明の実施形態の第１の変形例に係るティッシュ容器であって、挟持体でティッシュを挟み込んだ状態で、水平方向に切断した横断面図。
【図１１】本発明の実施形態の第２の変形例に係るティッシュ容器であって、挟持体でティッシュを挟み込んだ状態で、水平方向に切断した横断面図。
【発明を実施するための形態】
【００１３】
以下、本発明の好適な実施の形態を添付図面を参照して詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１４】
〔ティッシュ容器の使用方法〕
先ず、本発明の実施形態に係るティッシュ容器の使用方法を簡単に説明する。
図１及び図２は、本発明の実施形態に係るティッシュ容器の使用方法を説明するための一例であって、図１（ａ）はティッシュを縦にした図、図１（ｂ）は図１（ａ）の横断面図、図２はティッシュ容器１０の分解斜視図である。なお、図１では、図が煩雑にならないように、ティッシュの枚数を少なく図示している。
これらの図に示されるように、本ティッシュ容器を使用するに当たっては、事前準備として、図１に示すように、複数枚のティッシュＴＰの各ティッシュＴ１〜Ｔ９が交互に折り畳まれた状態で重なっているティッシュＴＰを用意する。
なお、このような積層状態のティッシュＴＰは箱又は袋で市販されており、使用者が任意の枚数（通常は１枚）を引き抜いた際に、次に引き抜かれるティッシュの一部のみが外部に露出するもので、図のような折り畳み方に限られるものではない。
また、ティッシュＴＰは、各ティッシュＴ１〜Ｔ９が交互に折り畳まれた状態で重なって、容易に順次引き抜ける機能を有するティッシュであれば足り、所謂ティッシュペーパーだけではなくウエットティッシュペーパー等であっても構わない。
【００１５】
そして、袋や箱等に納められているティッシュＴＰを、その袋や箱等から取出して、図１（ａ）の矢印ＫＡに示すように、折り目Ｍ方向を縦にした場合の横方向の中心線ＣＥを中心に、折り目Ｍ方向に沿って２つに曲げる。そうすると、積層状態のティッシュＴＰは、図２に示すような状態になる。
次いで、この２つに曲げた状態のティッシュＴＰを、折り目Ｍが縦方向となり、複数のティッシュの重なった方向が水平方向となるようにして、挟持体１５に入れる。この挟持体１５については後で詳細に説明するが、ティッシュＴＰの曲げた状態が保持されるように、ティッシュＴＰを挟んでいる。
【００１６】
次いで、曲げられたティッシュＴＰの一番内側のティッシュ（つまり、曲げた側ＴＰａと反対側のティッシュ）の上部ＵＰを少し引き出してから、蓋部１４をケース１２に接続して、ケース１２の開口部１６を覆う。この際、引き出しておいた一番内側のティッシュの上部ＵＰを、取出し口２０から予め外部に露出させておく。
そして、ティッシュＴＰを使用する際は、予め開口部２０から露出したティッシュの一部である上部ＵＰを引き抜いて使用する。そうすると、ティッシュは交互に折り畳まれた積層状態になっているため、各ティッシュ間の摩擦により、次に引き抜かれるティッシュの一部（頭）がまた開口部２０から露出し、これを順次続けて、容易にティッシュを最後まで引き抜くことができる。
【００１７】
〔ティッシュ容器の詳細説明〕
次に、上述したティッシュ容器について詳細に説明する。
図３は本発明の実施形態に係るティッシュ容器１０の斜視図、図４は図３のティッシュ容器１０を水平方向に切断した場合の横断面図、図５は図３のティッシュ容器１０を図４のＡ−Ａ線の位置で縦方向に切断した場合の縦断面図である。
なお、本実施形態のティッシュ容器１０は、販売時に予めティッシュＴＰが収容されておらず、購入後に使用者が別売りのティッシュＴＰを収容するものであるが、理解の便宜のため、図４では１枚だけティッシュＴＰを、図５では複数枚のティッシュＴＰを収容した状態を示している。
ティッシュ容器１０は、ティッシュを収容するための容器であって、ティッシュ箱、ティッシュボックス、ティッシュケースとも呼ばれ、ケース１２と蓋部１４を有している。
【００１８】
ケース１２は、図５に示すように、ティッシュＴＰを収納するための内部空間Ｓを有する有底の容器であって、例えばＡＢＳ樹脂等の樹脂で形成される。そして、上側に積層状態のティッシュの出し入れをするための開口部１６を有し、この開口部１６はティッシュの取出し口２０を有する蓋部１４でカバーされる。
また、ケース１２は自立可能であって、図３に示すように、自立した状態における水平方向（図のｘｙ方向）のいずれの寸法よりも縦方向（図のＺ方向）に大きい寸法を有する縦長とされ、横断面外形がいずれの高さで切断しても略相似形とされている。なお、ケース１２の縦方向の寸法については、図５に示すように、取出し口２０と反対側の側面１２ａが最も低く、その側面１２ａから反対側の側面１２ｅに向うに従って除々に高くなっている。
【００１９】
そして、図３及び図４に示すように、取出し口２０と反対側の略半分の側面（図４の略右側半分の側面）が、ケース１２を持つための把持部２８とされ、この把持部２８は、親指ＴＨと人差し指ＦＩの指腹側で略円弧状をつくって把持されるように、横断面外形が円弧状となっている。また、把持部２８は、底面１２ｂ側から開口部１６側に向って除々に横断面外形が大きくなるように形成されている（ケース側面が傾斜している）。これにより、使用者は片手でケース１２を把持して容易に持ち運ぶことができ、しかも、手の小さい使用者は底面１２ｂ側を、手の大きい使用者は開口部１６側を把持することができる。
【００２０】
一方、ケース１２の取出し口２０側の略半分の側面１２ｃは、把持部２８とは異なる形状をしており、平面視において、把持部２８との境目１２ｄ，１２ｄどうしを結ぶ仮想線ＣＬを底辺とした場合に略二等辺三角形又はおにぎり状とされている。そして、ケース１２の側面については、把持部２８との境目１２ｄ，１２ｄ、及び取出し口２０に最も近い側面１２ｅに屈曲部が形成され、境目１２ｄ，１２ｄの屈曲部には、把持した親指ＴＨと人差し指ＦＩの先端が引っ掛かるようになっている。側面１２ｅの屈曲部については後で詳細に説明する。
【００２１】
蓋部１４は、ケース１２の開口部１６を覆うもので天板等とも言うことができ、例えばＡＢＳ樹脂等の樹脂で形成され、ケース１２に対して着脱可能とされている。具体的には、図５に示すように、蓋部１４はフランジ状であって（図２も参照）、ケース１２に接続した際、円筒部２２の外面がケース１２の開口部１６側の内面に密着すると共に、円筒部２２の外周面から僅かに突出した凸部２４が開口部１６側の内周面に形成された凹部に嵌合するようになっている。
なお、本実施形態の蓋部１４は着脱可能とされているが、本発明はこれに限られず、例えば、ティッシュＴＰが予め収容された状態で販売される場合や、ティッシュＴＰを底面１２ｂや側面から出し入れする場合は、ケース１２と蓋部１４とは接着ないし一体成型されていてもよい。
【００２２】
このような蓋部１４は、ティッシュを上から引き抜くことができるように、上面に取出し口２０が形成されている。
取出し口２０は、図３ないし図５に示すように、蓋部１４の厚み方向に貫通した略長円状ないし長方形状の孔であり、曲げられた積層状態のティッシュＴＰの一番内側のティッシュの上部に対向するように形成されている（図２も参照）。
具体的には、取出し口２０は、平面視において、側面１２ｃと把持部２８との境目１２ｄ，１２ｄどうしを結ぶ仮想線ＣＬより片側（ティッシュの２つに曲げられた側ＴＰａと反対側）に配置され、さらに、本実施形態の場合は、平面視において、長手方向の一端２０ａが仮想線ＣＬに近接するように中央部に位置している。
そして、取出し口２０は、ティッシュＴＰの曲げられた方向（図４のＸ方向）と直交する水平方向（図４のＹ方向）に沿って細長く、図３に示すように、その幅寸法（短手方向の寸法）Ｗは、ティッシュを引き抜いた際に、多数のティッシュが一度に引き抜かれず、次に引き抜かれるティッシュの一部ＴＰ１のみが露出する寸法とされている（図の場合、概ね１６ｍｍ）。
なお、取出し口２０は、図４に示すように、長手方向の一端２０ａから他端２０ｂに向うに従って幅寸法（短手方向の寸法）Ｗが除々に小さくなっている。
【００２３】
ここで、ケース１２の内側には図４及び図５に示すように、挟持体１５が設けられている。以下、この挟持体１５について、図６乃至図８を中心に参照しながら説明する。
図６（ａ）は挟持体１５の斜視図であり、図６（ｂ）は図６（ａ）の挟持体１５がティッシュを挟んでいる斜視図、図７は挟持体１５の展開図、図８は残り枚数が僅かなティッシュを挟んだ挟持体１５をケースに入れ、それを水平方向に切断した場合の横断面図である。なお、図８では、理解の便宜のため、ティッシュを２枚だけ図示し、その内一枚を破線で示している。
【００２４】
挟持体１５は、少なくとも２つの面１７，１８を有し、２つの面１７，１８の間の空間Ｓ１に、２つに曲げられた積層状態のティッシュが挟まれ、ティッシュは曲げられた側ＴＰａと反対側である先端部ＴＸから引き抜かれるようになっている。なお、本実施形態の挟持体１５はケースに対して着脱可能であり、ケース内に比べて大きな外部空間で、ティッシュを容易に挟んでから、ケースに収容される。
そして、挟持体１５は、図６（ｂ）に示すように、ティッシュの曲げる方向Ｊ，Ｊに向って弾性力を発揮するように、ティッシュを挟み込んでいる。すなわち、挟持体１５は、曲げられた積層状態のティッシュの一方の領域ＴＰｂと他方の領域ＴＰｃとが互いに接近するようにティッシュ押さえる。
このため、挟持体１５は図６のＪ，Ｊ方向に弾性力を発揮させて、残ったティッシュの枚数に対応して形状を変えていく。すなわち、図８に示すように、２つの面１７，１８の間の幅について、一点鎖線で図示した多数のティッシュが収容された状態を仮想した場合の挟持体１５−１の大きい幅寸法Ｗ１から、残り枚数が僅かなティッシュを収容した状態である小さい幅寸法Ｗ２に変わっていく。従って、ケース１２に収容されたティッシュＴＰの枚数にかかわらず、ティッシュＴＰの直立状態を保持し、さらに、引き抜こうとするティッシュＴＰと次に引き抜かれるティッシュＴＰ１との間隔Ｌが無用に開けられず、ティッシュＴＰとティッシュＴＰ１との間の摩擦力を適性に働かせて、次に引き抜かれるティッシュＴＰ１の一部を、図３のように問題なく露出させることができる。なお、図８では間隔Ｌを大きめに図示しているが、この間隔は計測部位によるが実際は略存在しない。
【００２５】
具体的には、本実施形態の挟持体１５の場合は一枚の板を曲げて形成されている。すなわち、挟持体１５は熱可塑性のＰＰ（ポリプロピレン）、ＰＥＴ、ＰＥ（ポリエチレン）、ＰＡ（ナイロン）等の樹脂を図７に示すように所定の可撓性と弾力性のある薄板状にして、これを水平方向の中央部１５ａで曲げると共に、図６に示すように先端部１５ｂ，１５ｃを接合することで形成されている。なお、接合される先端部１５ｂ，１５ｃは２つの面１７，１８から突出した凸部（図７の平行斜線で示される部分）とされている。また、挟持体１５は可撓性を有しているが、図６の完成状態では自立が可能な程度の可撓性である。
そして、ティッシュを挟まない状態の挟持体１５は、２つの面１７，１８の間の空間Ｓ１の最大幅Ｗ３が、ティッシュを２つに曲げた状態の最大幅Ｗ４よりも小さく形成されている。また、空間Ｓ１の最大幅Ｗ３と直交する水平方向の長さＬ１は、ティッシュを２つに曲げた状態の曲げた方向と直交する水平方向の長さＬ２よりも大きく形成されている。これにより、可撓性と弾力性のある挟持体１５は、ティッシュを挟んだ状態では、図６（ｂ）の矢印Ｊ，Ｊ方向に弾性力が発揮される。
【００２６】
さらに、挟持体１５は、図６（ａ）及び図７に示すように、中央部１５ａで折り目を付けずに湾曲させながら２つに容易に曲げられるように、中央部１５ａの上下に切り込み部３０，３０が設けられている。一方、先端部１５ｂ，１５ｃでは面同士が接合しており、これにより、挟持体１５は、平面視において、中央部１５ａ側が円弧状となり、先細りのような先端部１５ｂ，１５ｃ側に比べて、中央部１５ａ側の幅Ｗ３が大きくなっている。
このため、挟持体１５は、図６（ｂ）に示すように、２つの面１７，１８でティッシュを挟み、これを図５に示すようにケース１２に入れた状態では、平面視において、取出し口２０と反対側（即ち、中央部１５ａ側）が、取出し口２０側（即ち、先端部１５ｂ，１５ｃ）に比べて、ティッシュＴＰを挟み込む度合いが小さくされる（本実施形態の場合、２つに曲げたティッシュの形態により細かく対応させるため、図６のように、先端部１５ｂ，１５ｃから最大幅Ｗ３を有する部分に向かうに従って、除々にティッシュを挟み込む度合いが小さくなっている）。なお、ティッシュを挟み込む度合いが小さいとは、収容する２つの曲げたティッシュのいずれの部位も同じ幅Ｗ４であると仮定した場合において、ティッシュを曲げた方向Ｊ，Ｊに押さえる力が弱い状態を意味する。そして、そのような状態は、本実施形態のように挟持体１５の各部位の材質を変えずに形状を工夫することで実現させてもよいし、或いは、材質や厚みを変えるなどして各部位の弾性力を変えて実現させてもよい。
【００２７】
従って、図６（ｂ）のように、集積状態の多数のティッシュを２つに曲げて、これを挟持体１５で挟み、図５のようにケース１２に入れる場合であっても、ボリュームのあるティッシュの曲げ側ＴＰａの方の押さえ過ぎを防止し、取出し口２０から一部を露出しようとする次のティッシュの動きを阻害することがなくなる。また、挟まれたティッシュの残数が少なくなっても、挟持体１５の先端部１５ｂ，１５ｃ側（図６のティッシュの先端部ＴＸ側）は挟み込む度合いが大きいため、図８に示すように、残数の少ないティッシュの形状に追従するように、２つの面１７，１８が互いにかなり接近して、取出し口付近では引き抜こうとするティッシュＴＰと次に引き抜かれるティッシュＴＰ１との間に無用な間隔が生じることを防止できる。
なお、ケース１２の取出し口と反対側の側面の内壁１２ｇは平面視が円弧状とされ、挟持体１５を入れた場合に、中央部１５ａが円弧状になることを阻害しないようになっている。
【００２８】
また、図８において、実線で表した挟持体１５は、残り枚数が僅かなティッシュを挟んだ状態であるが、この状態では、先端部１５ｂ，１５ｃとその反対側（展開状態の中央部１５ａ）がケース１２の内壁に当接して、Ｊ，Ｊ方向にそれ以上の弾性力を発揮できず、ティッシュが全く収容されていない状態と同じになる。
すなわち、挟持体１５は、ティッシュを挟まずにケースから取り外された状態では、図６に示す長さＬ１が、図８に示すケースの長さＬ３に比べて大きく（ここにいう「長さ」は、挟持体１５の弾性力が働く方向と直交する水平方向の寸法である）、このティッシュが存在しない状態では、挟持体１５を挟み込む方向Ｊ，Ｊと直交する水平方向ｙに押さえつけながら、ケース１２に取り付けられる。
このため、挟持体１５はその弾性力で空間Ｓ１を潰し過ぎることがなく、ティッシュＴＰの枚数が少なくなっても、挟持体１５は、ティッシュＴＰの挟み込み過ぎを防止し、最後までティッシュを容易に引き抜くことができる。すなわち、２つに曲げられたティッシュは反対に広がる方向に力Ｆ，Ｆを働かせるが、この力Ｆ，Ｆはティッシュの枚数が残り僅かになると、挟持体１５の弾性力に比べて弱くなり過ぎてしまう。そこで、この挟持体１５の弾性力が力Ｆ，Ｆを上回り、図３のような次に引き抜かれるティッシュＴＰ１の一部の露出を阻害する時点において、先端部１５ｂ，１５ｃとその反対側（展開状態の中央部１５ａ）がケース１２の内壁に当接するようになっている。
【００２９】
また、本実施形態の場合、図５及び図８に示すように、ケース１２の取出し口２０に最も近い側面１２ｅは屈曲し、その内壁１２ｆも屈曲し、この内壁１２ｆに挟持体１５の先端部１５ｂ，１５ｃが係止される。さらに、挟持体１５は、Ｊ，Ｊ方向の弾性力で図８のｙ方向に伸びようとする力も手伝って、ティッシュＴＰが少なくなった状態でも、ティッシュを引き抜く側である先端部が内壁１２ｆに押し付けられることから、１５ｂ，１５ｃ側が取出し口から遠くに離れてしまう恐れを軽減している。なお、平面視において、挟持体１５の外形は、集積状態の多数のティッシュを挟んでいる際は、ケース１２の内面形状と略相似し、挟持体１５の周側面がケース１２の内面に隣接しているため、挟持体１５の先端部１５ｂ，１５ｃ側は取出し口からあまり離れることもない。従って、ティッシュは最初から最後まで取出し口から取出し易い。
【００３０】
そして、本容器１０の場合、図５、及び底上げ用アダプターの斜視図である図９に示すように、底上げ用アダプター３０も用いられている。
この底上げ用アダプター３０はケース１２に対して着脱可能であり、ケース１２に収容するティッシュの長さが短い場合に、図５に示すように、ケース１２の内側底部に載置して用いられる。
すなわち、一般的に市販のティッシュには長さの異なる２タイプ（約２３０ｍｍと約１９０ｍｍ）があり、ケース１２は長いティッシュに対応すれば、短いティッシュも収容できる。ところが、例えば市販の短いティッシュの場合、取出し口２０から引き抜いた際、次に引き抜かれるティッシュＴＰ１の一部が取出し口２０から一旦は露出したものの、ケース１２の中の残りのティッシュが落下する際に、その落下するティッシュに引きずられたり、落下した衝撃が伝達したりして、露出した一部が取出し口２０から落ちる恐れがある。そこで、底上げ用アダプター３０により、当該残りのティッシュの落下距離を短くし、また落下衝撃を有効に防止して、次に引き抜かれるティッシュＴＰ１の頭を確実に取出し口２０から露出させている。
【００３１】
なお、本実施形態の底上げ用アダプター３０は、ケース１２に載置した際、がたつかないように、周側面３０ａの全体がケース１２の内周面に当接するようになっている。また、指をケース１２に入れて着脱が容易なように、中央部に厚み方向に貫通した貫通孔３２が形成されている。
【００３２】
本発明の実施形態は以上のように構成され、ケース１２は縦長であって、取出し口２０は上側にあるため、スペースのない場所に置くことができ、かつ、周りが例えば書籍に囲まれていたり、自動車のシートポケットに入れられたりしても、上からティッシュを容易に引き抜くことができる。
さらに、ティッシュを縦に配置したがために、ケース１２内のティッシュの枚数が少なくなって、積層状態の各ティッシュ間に無用な隙間が生じる恐れがあっても、挟持体１５の弾性力がティッシュの広がろうとする力に対抗して、無用な空間の形成を防止する。したがって、ティッシュを引き抜く際、次に引き抜かれるティッシュとの間で摩擦力が適正に働き、次に引き抜かれるティッシュの一部を取出し口から確実に露出させることが出来る。
【００３３】
図１０は、本発明の実施形態の第１の変形例に係るティッシュ容器４０であって、挟持体４２でティッシュＴＰを挟み込んだ状態で、水平方向に切断した横断面図である。なお、この図のティッシュＴＰは、図面が煩雑にならないよう、折り畳みを省略して図示している。
図１０において、図１乃至図９で用いた符号と同一の符号を付した箇所は共通する構成であるから、重複した説明は省略し、以下、相違点を中心に説明する。
ティッシュ容器４０は上述した実施形態に対して、挟持体４２の構成のみが異なっている。
【００３４】
すなわち、挟持体４２は、上述した実施形態と同様、Ｊ，Ｊ方向に弾性力を発揮するように、ティッシュＴＰを挟み込むようになってはいるが、ケース１２に対して着脱可能ではなく、ケース１２の内面に接続されている。
具体的には、ケース１２は、ティッシュＴＰの曲げられた方向の内壁１２ｈに、Ｊ，Ｊ方向に弾性力を発揮させるスポンジ等の弾性体が接着されており、この弾性体が挟持体４２となる。
【００３５】
本第１の変形例に係るティッシュ容器４０は以上のように構成され、ケース１２内のティッシュの枚数が少なくなっても、挟持体４２がティッシュを挟み込んで、積層状態の各ティッシュ間の無用な空間形成を防止し、次に引き抜かれるティッシュの一部を取出し口から露出させることができる。但し、積層状態のティッシュのケース１２への収容のし易さや、ティッシュの残数がかなり少なくなるまでティッシュを確実に挟める点で、図１０のティッシュ容器４０に比べて図１乃至図９のティッシュ容器１０の方が優れている。
【００３６】
図１１は、本発明の実施形態の第２の変形例に係るティッシュ容器５０であって、挟持体５２でティッシュＴＰを挟み込んだ状態で、水平方向に切断した横断面図である。なお、この図のティッシュＴＰは、図面が煩雑にならないよう、折り畳みを省略して図示している。
図１１において、図１乃至図９で用いた符号と同一の符号を付した箇所は共通する構成であるから、重複した説明は省略し、以下、相違点を中心に説明する。
ティッシュ容器５０は上述した実施形態に対して、挟持体５２の構成のみが異なっている。
【００３７】
すなわち、挟持体５２は、上述した実施形態と同様、Ｊ，Ｊ方向に弾性力を発揮するように、ティッシュＴＰを挟み込むようになってはいるが、平面視において、ティッシュＴＰの曲げられた側ＴＰａと反対側である先端部ＴＸ側のみを挟んでいる。
そして、挟持体５２は、ティッシュＴＰの先端部ＴＸ側の両脇に配置され、夫々が内側空間Ｓ２を有する筒状又は袋状であって、図の矢印Ｋ，Ｋ方向に膨らむようにして弾性力が発揮される。
この２つの挟持体５２は、ケース１２に接続されていても構わないが、本変形例の場合、ティッシュＴＰの収容を容易とするために着脱可能とされている。なお、各挟持体５２は、外周面に形成された屈曲部５２ａが境目１２ｄ，１２ｄの内側壁面の屈曲部１２ｉに引っ掛かり、ティッシュＴＰの曲げられた側ＴＰａに移動し過ぎないようになっている。
【００３８】
本第２の変形例に係るティッシュ容器５０は以上のように構成され、挟持体５２は、ティッシュＴＰの先端部ＴＸ側のみを挟むようになっていても、ケース１２の取出し口付近では、引き抜くティッシュと次に引き抜かれるティッシュとの間隔は適正となるため、次に引き抜かれるティッシュの一部を取出し口から適正に露出させることができる。但し、ティッシュの枚数が少なくなった場合に、ティッシュの自立が困難となる恐れがあり、この点で図１乃至図９のティッシュ容器１０の方が優れている。
【００３９】
ところで、本発明は上記実施形態に限定されるものではない。
例えば、ケースについては、図４の右半分の側面を把持部２８としたが、左半分の側面１２ｃを把持しても勿論よい。
また、本実施形態のティッシュ容器は、販売時に予めティッシュが収容されておらず、購入後に使用者が別売りのティッシュを収容するようにされているが、ティッシュは予め収容された状態で販売されても勿論よい。
また、挟持体１５は、その先端部１５ｂ，１５ｃがケース１２の内壁１２ｆに接続されて、ケース１２に対して固定されてもよい。
【符号の説明】
【００４０】
１０，４０，５０・・・ティッシュ容器、１２・・・ケース、１４・・・蓋部、１５，４２，５２・・・挟持体、２０・・・取出し口、３０・・・底上げ用アダプター
【図１】
2012245982.tif 000003
【図２】
2012245982.tif 000004
【図３】
2012245982.tif 000005
【図４】
2012245982.tif 000006
【図５】
2012245982.tif 000007
【図６】
2012245982.tif 000008
【図７】
2012245982.tif 000009
【図８】
2012245982.tif 000010
【図９】
2012245982.tif 000011
【図１０】
2012245982.tif 000012
【図１１】
2012245982.tif 000013